(57)【要約】  本発明の実施例は、セットトップボックスのインタラクション方法および関連するセットトップボックスとシステムを開示する。離れたセットトップボックスのユーザ間で平等な社会的地位を持ったソーシャルネットワーク活動を行うために使用されるものである。本発明の実施例における方法は、第２のセットトップボックスに対してインタラクション情報を第１のセットトップボックスによって送信するステップであり、第２のセットトップボックスがインタラクションコンテンツを表示するステップ、および、第２のセットトップボックスによって送信されたインタラクション結果情報をインタラクションコンテンツに従って第１のセットトップボックスによって受信するステップ、を含む。実施例における本発明のソリューションは、インタラクションプロセスにおいてユーザ間の平等な社会的地位を保証するものであり、それにより、ユーザのセットトップボックスベースの社会的なインタラクションの経験を改善して、ユーザの社会的ニーズを満足させている。
2015513844.tif 000002
【特許請求の範囲】
【請求項１】
セットトップボックスのインタラクション方法であって：
第２のセットトップボックスに対してインタラクション情報を第１のセットトップボックスによって送信するステップであり、前記第２のセットトップボックスがインタラクションコンテンツを表示するステップと、
前記第２のセットトップボックスによって送信されたインタラクション結果情報を、前記インタラクションコンテンツに従って、第１のセットトップボックスによって受信するステップと、
を含む、方法。
【請求項２】
前記インタラクションコンテンツは、インタラクションダイアログボックス及び/又はピクチャーインピクチャプレビューボックスの中に表示される、
請求項１に記載の方法。
【請求項３】
番組のインタラクション情報を第１のセットトップボックスによって送信する前に、
本方法は、さらに、
第１のインタラクションインストラクションを前記第１のセットトップボックスによって受信するステップと、を含み、
前記第１のインタラクションインストラクションは、対応する番組のインタラクション情報を前記第２のセットトップボックスに対して送信するように前記第１のセットトップボックスに指図するために使用される、
請求項１または２に記載の方法。
【請求項４】
前記第２のセットトップボックスによって送信されたインタラクション結果情報を前記第１のセットトップボックスによって受信した後で、
本方法は、さらに、
前記インタラクション結果情報に従って、前記第１のセットトップボックスによってインタラクション結果を表示するステップと、を含む、
請求項１または２に記載の方法。
【請求項５】
セットトップボックスのインタラクション方法であって：
第１のセットトップボックスによって送信されたインタラクション情報を、第２のセットトップボックスによって受信するステップと、
前記インタラクション情報に従って、前記第２のセットトップボックスによってインタラクションコンテンツを表示するステップと、
前記インタラクションコンテンツに従って、前記第１のセットトップボックスに対してインタラクション結果情報を第２のセットトップボックスによって送信するステップと、
を含む、方法。
【請求項６】
前記インタラクション情報に従って、インタラクションコンテンツを前記第２のセットトップボックスによって表示した後で、
本方法は、さらに、
第２のインタラクションインストラクションを前記第２のセットトップボックスによって受信するステップと、を含み、
前記第２のインタラクションインストラクションは、前記インタラクションコンテンツに従って、前記インタラクション結果情報を前記第１のセットトップボックスに対して送信するように前記第２のセットトップボックスに指図するために使用される、
請求項５に記載の方法。
【請求項７】
第２のセットトップボックスに対してインタラクション情報を送信するように構成されているインタラクション情報送信モジュールであり、前記第２のセットトップボックスはインタラクションコンテンツを表示する、インタラクション情報送信モジュールと、
前記インタラクションコンテンツに従って、前記第２のセットトップボックスによって送信されたインタラクション結果情報を受信するように構成されているインタラクション結果情報受信モジュールと、
を含む、セットトップボックス。
【請求項８】
前記セットトップボックスは、さらに、
第１のインタラクションインストラクションを受信するように構成されている第１のインタラクションインストラクション受信モジュールと、を含み、
前記第１のインタラクションインストラクションは、対応する番組のインタラクション情報を前記第２のセットトップボックスに対して送信するように前記第１のセットトップボックスに指図するために使用される、
請求項７に記載のセットトップボックス。
【請求項９】
前記セットトップボックスは、さらに、
前記インタラクション結果情報に従って、インタラクション結果を表示するように構成されているインタラクション結果表示モジュールと、を含む、
請求項７または８に記載のセットトップボックス。
【請求項１０】
第１のセットトップボックスによって送信されたインタラクション情報を受信するように構成されているインタラクション情報受信モジュールと、
前記インタラクション情報に従って、インタラクションコンテンツを表示するように構成されているインタラクションコンテンツ表示モジュールと、
前記インタラクションコンテンツに従って、前記第１のセットトップボックスに対してインタラクション結果情報を送信するように構成されているインタラクション結果情報送信モジュールと、
を含む、セットトップボックス。
【請求項１１】
前記セットトップボックスは、さらに、
第２のインタラクションインストラクションを受信するように構成されている第２のインタラクションインストラクション受信モジュールと、を含み、
前記第２のインタラクションインストラクションは、前記インタラクションコンテンツに従って、前記インタラクション結果情報を前記第１のセットトップボックスに対して送信するように前記第２のセットトップボックスに指図するために使用される、
請求項１０に記載のセットトップボックス。
【請求項１２】
請求項７乃至９いずれか一項に記載の前記セットトップボックス、および、請求項１０または１１に記載の前記セットトップボックス、を含み、
これら２つのセットトップボックスは、通信可能な方法で相互に接続されている、
セットトップボックスインタラクションシステム。
【発明の詳細な説明】
【技術分野】
【０００１】
本発明は、デジタルテレビジョン技術に関する。より特定的には、セットトップボックスのインタラクション方法および関連するセットトップボックスとシステムに関する。
【０００２】
本特許出願は、２０１２年３月１日出願の中国特許出願第２０１２１００５１３１１．１号に係る優先権の利益を主張するものであり、ここにおいて参照として包含されている。タイトルは、「SET  TOP  BOX  INTERACTION  METHOD  AND  RELATED  SET  TOP  BOX  AND  SYSTEM」である。
【背景技術】
【０００３】
セットトップボックス（Ｓｅｔ  Ｔｏｐ  Ｂｏｘ、ＳＴＢ）は、テレビジョンセットと外部の信号源を接続するデバイスである。セットトップボックスは、対応するテレビ番組がテレビジョンセット上で放映され得るように、圧縮されたデジタル信号をテレビ番組の放映コンテンツへと変換することができる。デジタル信号は、ケーブル、衛星アンテナ、ブロードバンドネットワーク、または、地上波放送からやって来てよい。テレビ番組における画像と音声の受信に加えて、セットトップボックスは、データコンテンツを受信することができる。テレビ番組ガイド、インターネットウェブページ、データ放送、および、ソフトウェアアップグレードといったものである。双方向セットトップボックスは、双方向的なネットワーク相互接続をサポートしているセットトップボックスのことを参照する。一般的に、双方向セットトップボックスのサービス機能は、ビデオオンデマンド（Ｖｉｄｅｏ  Ｏｎ  Ｄｅｍａｎｄ、ＶＯＤ）のヘッドエンド（ｈｅａｄ−ｅｎｄ）システムと協働して、ユーザに対してビデオオンデマンドサービスを提供する。つまり、ユーザは、双方向セットトップボックスを使用することで、ビデオリクエストをすることができる。双方向セットトップボックスが、ネットワークを使用して他のサービスシステムに相互接続されている場合、以下の機能を実施することもできる。ウェブページをブラウジングすること、オンラインゲームで遊ぶこと、ｅメールを受信および送信すること、ネットワークダウンロードを実行すること、および、テレビ電話をかけること、といったものである。加えて、デジタルネットワークリビングアライアンス（Ｄｉｇｉｔａｌ  Ｌｉｖｉｎｇ  Ｎｅｔｗｏｒｋ  Ａｌｌｉａｎｃｅ（ＤＬＮＡ））を使用して、双方向セットトップボックスは、さらに、ホーム相互接続機能をサポートすることができ、それによって、ホームネットワークの中で他のデバイスとマルチメディアの共有を実施する。
【０００４】
現在、双方向セットトップボックスは、離れたユーザに対してインタラクション機能を提供することができる。例えば、セットトップボックスＡのユーザが主導で、セットトップボックスＢに対してマルチメディアアクセスリクエストを送信して、セットトップボックスＢが、そのアクセスリクエストに応答して、セットトップボックスＡに対してマルチメディアコードストリームを配信する。または、セットトップボックスＡのユーザがセットトップボックスＢのユーザに対して強制的にテレビ番組をプッシュすると、セットトップボックスＢは、現在のサービスを中断して、プッシュされたテレビ番組を放映する。
【発明の概要】
【発明が解決しようとする課題】
【０００５】
しかしながら、上記のインタラクション方法においては、インタラクションしている２つの当事者は、社会的な地位において平等ではない。一人の当事者だけがアクセスリクエストを行い、または、プッシュされた番組を放映するように強制される。従って、２人のインタラクションしている当事者間でのインタラクション動作が欠けており、そのために、平等な社会的地位に対するユーザの社会的ニーズを満足させることができない。
【課題を解決するための手段】
【０００６】
上記の問題を解決するために、本発明は、セットトップボックスのインタラクション方法および関連するセットトップボックスとシステムを提供する。離れたセットトップボックスユーザ間での平等な社会的地位を用いてソーシャルネットワーク活動を行うために使用されるものである。本発明における方法は、インタラクションプロセスにおいてユーザ間の平等な社会的地位を保証するものであり、それにより、ユーザのセットトップボックスベースの社会的なインタラクションの経験を改善して、ユーザの社会的ニーズを満足させている。
【０００７】
セットトップボックスのインタラクション方法は、第２のセットトップボックスに対してインタラクション情報を第１のセットトップボックスによって送信するステップであり、前記第２のセットトップボックスがインタラクションコンテンツを表示するステップと、前記第２のセットトップボックスによって送信されたインタラクション結果情報を、前記インタラクションコンテンツに従って、第１のセットトップボックスによって受信するステップと、を含む。
【０００８】
セットトップボックスのインタラクション方法は、第１のセットトップボックスによって送信されたインタラクション情報を、第２のセットトップボックスによって受信するステップと、前記インタラクション情報に従って、前記第２のセットトップボックスによってインタラクションコンテンツを表示するステップと、前記インタラクションコンテンツに従って、前記第１のセットトップボックスに対してインタラクション結果情報を第２のセットトップボックスによって送信するステップと、を含む。
【０００９】
セットトップボックスは、第２のセットトップボックスに対してインタラクション情報を送信するように構成されているインタラクション情報送信モジュールであり、前記第２のセットトップボックスはインタラクションコンテンツを表示する、インタラクション情報送信モジュールと、前記インタラクションコンテンツに従って、前記第２のセットトップボックスによって送信されたインタラクション結果情報を受信するように構成されているインタラクション結果情報受信モジュールと、を含む。
【００１０】
セットトップボックスは、第１のセットトップボックスによって送信されたインタラクション情報を受信するように構成されているインタラクション情報受信モジュールと、前記インタラクション情報に従って、インタラクションコンテンツを表示するように構成されているインタラクションコンテンツ表示モジュールと、前記インタラクションコンテンツに従って、前記第１のセットトップボックスに対してインタラクション結果情報を送信するように構成されているインタラクション結果情報送信モジュールと、を含む。
【００１１】
セットトップボックスインタラクションシステムは、上記に説明した２つのセットトップボックスを含み、これら２つのセットトップボックスは、通信可能な方法で相互に接続されている。
【００１２】
前出の技術的なソリューションから、本発明の実施例は、以降の利点を有することが理解できるであろう。
【００１３】
第１のセットトップボックスは、第２のセットトップボックスに対してインタラクション情報を送信し、第２のセットトップボックスはインタラクションコンテンツを表示する。ユーザは、インタラクションコンテンツに応じてインタラクション結果情報を選択かつ決定して、第２のセットトップボックスに対してインタラクション結果情報をフィードバックするように指図する。第１のセットトップボックスは、第２のセットトップボックスによって送信されたインタラクション結果情報を受信し、それによって、離れたセットトップボックスのユーザが、平等な社会的地位をもって、ソーシャルネットワーク活動を行うことを実施している。本発明における方法は、インタラクションプロセスにおけるユーザ間の平等な社会的地位を保証し、それによって、ユーザのセットトップボックスベースの社会的なインタラクションの経験を改善して、ユーザの社会的ニーズを満足させている。
【図面の簡単な説明】
【００１４】
【図１】図１は、本発明の第１の実施例に従った、セットトップボックスのインタラクション方法に係るフローチャートである。
【図２】図２は、本発明の第２の実施例に従った、セットトップボックスのインタラクション方法に係るフローチャートである。
【図３】図３は、本発明の一つの実施例に従って、インタラクションコンテンツの表示に係る模式的なダイヤグラムを示している。
【図４】図４は、本発明の第３の実施例に従った、セットトップボックスのインタラクション方法に係るフローチャートである。
【図５】図５は、本発明の第４の実施例に従った、セットトップボックスのインタラクション方法に係るフローチャートである。
【図６】図６は、本発明の第５の実施例に従った、セットトップボックスの構造的なダイヤグラムである。
【図７】図７は、本発明の第６の実施例に従った、セットトップボックスの構造的なダイヤグラムである。
【図８】図８は、本発明の第７の実施例に従った、セットトップボックスの構造的なダイヤグラムである。
【図９】図９は、本発明の第８の実施例に従った、セットトップボックスの構造的なダイヤグラムである。
【図１０】図１０は、本発明の第９の実施例に従った、セットトップボックスインタラクションシステムに係る信号ダイヤグラムである。
【図１１】図１１は、本発明の第１０の実施例に従った、セットトップボックスインタラクションシステムに係る信号ダイヤグラムである。
【発明を実施するための形態】
【００１５】
本発明の実施例は、セットトップボックスのインタラクション方法を提供する。離れたセットトップボックスのユーザ間で平等な社会的地位をもって、ソーシャルネットワーク活動を行うために使用されるものである。本発明における方法は、インタラクションプロセスにおいてユーザ間の平等な社会的地位を保証するものであり、それにより、ユーザのセットトップボックスベースの社会的なインタラクションの経験を改善して、ユーザの社会的ニーズを満足させている。加えて、本発明の実施例は、さらに、セットトップボックスに関連する方法を提供する。それらは、以降に、それぞれ詳細に説明される。
【００１６】
本発明の第１の実施例は、セットトップボックスのインタラクション方法の詳細な説明を提供する。セットトップボックスのインタラクション方法に係る所定のプロセスについては、図１を参照のこと。本方法は、以下のステップを含んでいる。
【００１７】
１０１．第１のセットトップボックスは、第２のセットトップボックスに対してインタラクション情報を送信し、第２のセットトップボックスがインタラクションコンテンツを表示する。
【００１８】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第２のセットトップボックスに対してインタラクション情報を送信するように第１のセットトップボックスに指図し、第２のセットトップボックスがインタラクションコンテンツを表示する。
【００１９】
インタラクション情報は、第２のセットトップボックスにとってインタラクション情報を表示するための基礎である。第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【００２０】
１０２.第１のセットトップボックスが、インタラクションコンテンツに従って第２のセットトップボックスによって送信されたインタラクション結果情報を受信する。
【００２１】
ステップ１０１において、第２のセットトップボックスのユーザがインタラクションコンテンツに従って現在の番組推奨に係るソーシャル活動に対して応答した後で、第２のセットトップボックスは、インタラクションコンテンツに従って第１のセットトップボックスに対してインタラクション結果情報を送信する。つまり、インタラクション結果情報は、インタラクションコンテンツに従って第２のセットトップボックスのユーザによって決定される。
【００２２】
次に、第１のセットトップボックスは、第２のセットトップボックスによって送信されたインタラクション結果情報を受信する。ステップ１０１とステップ１０２が実行された後で、第１のセットトップボックスのユーザと第２のセットトップボックスのユーザは、セットトップボックスに基づいた平等な社会的地位をもってソーシャルネットワーク活動を完了する。
【００２３】
望ましくは、第１のセットトップボックスは、さらに、第２のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例における第２のセットトップボックスは、単なる例示であり、このシナリオにおけるインタラクションオブジェクトの数量について特定な限定をなすものではない。
【００２４】
この実施例において、第１のセットトップボックスはインタラクション情報を第２のセットトップボックスに対して送信し、第２のセットトップボックスはインタラクションコンテンツを表示する。ユーザは、インタラクションコンテンツに従ってインタラクション結果情報を選択かつ決定し、インタラクション結果情報をフィードバックするように第２のセットトップボックスに指図する。そして、第１のセットトップボックスは、第２のセットトップボックスによって送信されたインタラクション結果情報を受信し、それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００２５】
本発明の第２の実施例は、第１の実施例において説明されたセットトップボックスのインタラクション方法の補足的な説明を提供する。この実施例におけるセットトップボックスのインタラクション方法の所定のプロセスに関しては、図２を参照のこと。本方法は、以下のステップを含んでいる。
【００２６】
２０１.第１のセットトップボックスは第１のインタラクションインストラクションを受信する。ここで、インタラクションインストラクションは、対応する番組のインタラクション情報を第２のセットトップボックスに対して送信するように第１のセットトップボックスに指図するために使用されるものである。
【００２７】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第１のインタラクションインストラクションを第１のセットトップボックスに対して送信する。
【００２８】
第１のインタラクションインストラクションは、対応する番組のインタラクション情報を第２のセットトップボックスに対して送信するように第１のセットトップボックスに指図するために使用されるものである。
【００２９】
次に、第１のセットトップボックスは、第１のインタラクションインストラクションを受信する。
【００３０】
望ましくは、ユーザが第１のインタラクションインストラクションを送信する方法は、現行の番組が放映されているときにリモコン上またはセットトップボックス上の共有ボタンを押すこと、ユーザがインタラクションしたいと望む一人またはそれ以上の離れた友人を選択すること、および、第１のインタラクションインストラクションを送信すること、であってよい。上述のものは、ユーザが第１のインタラクションインストラクションを送信する方法の単なる実施例であって、特定な限定をなすものではない。
【００３１】
２０２.第１のセットトップボックスは、第２のセットトップボックスに対してインタラクション情報を送信し、第２のセットトップボックスがインタラクションコンテンツを表示する。
【００３２】
第１のインタラクションインストラクションを受信した後で、第１のセットトップボックスは、第１のインタラクションインストラクションのインストラクションに従って、第２のセットトップボックスに対してインタラクションインストラクションを送信し、第２のセットトップボックスは、インタラクションコンテンツを表示する。インタラクションコンテンツを表示しているとき、第２のセットトップボックスは、ユーザに対してプロンプト（ｐｒｏｍｐｔ）情報を送信する。例えば、インターフェイスを点滅させたり、プロンプト音を流したりする。
【００３３】
それぞれのセットトップボックスは、唯一のアイデンティティ（Ｉｄｅｎｔｉｔｙ、ＩＤ）を有しており、通信をアドレスするために使用される。望ましくは、第１のセットトップボックスは、第２のセットトップボックスとコンタクトするために、第２のセットトップボックスのＩＤを使用して第２のセットトップボックスの通信アドレスをクエリ（ｑｕｅｒｙ）してよい。加えて、第１のセットトップボックスは、さらに、第２のセットトップボックスの通信アドレスを事前に保管してよい。上述のものは、第１のセットトップボックスが第２のセットトップボックスにコンタクトする方法の単なる実施例であって、特定な限定をなすものではない。
【００３４】
インタラクション情報は、第２のセットトップボックスにとってインタラクション情報を表示するための基礎である。望ましくは、インタラクション情報は、ユニフォームリソースローケイタ（Ｕｎｉｆｏｒｍ  Ｒｅｓｏｕｒｃｅ  Ｌｏｃａｔｏｒ、ＵＲＬ）の形式で保管されてよい。インタラクション情報は、番組タイプ、番組番号、および、番組名、といった情報を含んでいるが、ここにおいて特定的に限定されるものではない。第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【００３５】
望ましくは、インタラクションコンテンツは、インタラクションダイアログボックスまたはピクチャーインピクチャ（Ｐｉｃｔｕｒｅ  ｉｎ  Ｐｉｃｔｕｒｅ、ＰＩＰ）プレビューボックスの中に表示されるか、その２つの中に表示されてよい。図３を参照すると、第２のセットトップボックスのユーザが現在のプログラムインターフェイス３０１上で番組を視聴しているときであって、第２のセットトップボックスが、インタラクション情報を受信し、ストリーミングメディアを解析し、そして、インタラクションコンテンツをテレビジョンセットを使用して現在のユーザに対して表示する。インタラクションコンテンツは、インタラクションダイアログボックス３０２またはＰＩＰプレビューボックス３０３のうち少なくとも一つの中に表示され、または、一つまたはそれ以上の他のインタラクションコンテンツボックスの中に表示される。詳細は、ここにおいて繰り返して説明されない。
【００３６】
ＰＩＰプレビューボックス３０３は、第２のセットトップボックスのユーザに対して番組プレビューを提供するために使用される。ＰＩＰ技術を使用するために、セットトップボックスは、デュアル（ｄｕａｌ）デコーダを備える必要がある。
【００３７】
加えて、インタラクション情報に対応して、インタラクションダイアログボックス３０２は、番組タイプ、番組番号、および、番組名、といった情報を含んでいるが、ここにおいて特定的に限定されるものではない。第２のセットトップボックスのユーザが、インタラクションコンテンツに従って、現在の番組推奨に係るソーシャル活動に対して応答することができるように、インタラクションダイアログボックス３０２は、少なくとも承諾（Ａｃｃｅｐｔ）ボタンと拒否（Ｒｅｆｕｓｅ）ボタンを含んでおり、インタラクション結果情報を生成するために使用される。承認ボタンが押された場合は、第２のセットトップボックスのユーザが、第１のセットトップボックスのユーザによって勧められた番組を視聴することに同意したことを示している。そして、第２のセットトップボックスのユーザは、第１のセットトップボックスのユーザによって勧められた番組に切り換えて、フルスクリーンモードで番組を放映し、そして、同時にインタラクションコンテンツを除去する。拒否ボタンが押された場合は、第２のセットトップボックスのユーザが、第１のセットトップボックスのユーザによって勧められた番組を視聴することを拒否したことを示している。そして、第２のセットトップボックスのユーザは、現在の番組を放映し続け、そして、同時にインタラクションコンテンツを除去する。既定の時間期間にボタンが押されない場合、その効果は、拒否ボタンが押された場合の効果と同一のものである。これは、インタラクションの方法の単なる実施例であって、特定な限定をなすものではない。
【００３８】
２０３．第１のセットトップボックスは、インタラクションコンテンツに従って第２のセットトップボックスによって送信されたインタラクション結果情報を受信する。
【００３９】
インタラクション結果情報は、インタラクションコンテンツに従って、第２のセットトップボックスのユーザによって決定される。第２のセットトップボックスのユーザは、インタラクションコンテンツに従ってインタラクション結果情報を決定する。例えば、推奨された番組を放映することを承認する、または、拒否することであり、次に、インタラクション結果情報が生成される。第１のセットトップボックスのユーザによる第１のインタラクションインストラクションを送信するための方法と同様な方法を使用することによって、第２のセットトップボックスのユーザは、第２のインタラクションインストラクションを第２のセットトップボックスに対して送信する。ここで、第２のインタラクションインストラクションは、第１のセットトップボックスに対してインタラクション結果情報を送信するように第２のセットトップボックスに指図するために使用される。
【００４０】
その後、第２のセットトップボックスは、インタラクション結果情報を第１のセットトップボックスに対して送信し、第１のセットトップボックスは、第２のセットトップボックスから送信されたインタラクション結果情報を受信する。
【００４１】
２０４.第１のセットトップボックスは、インタラクション結果情報に従ってインタラクション結果を表示する。
【００４２】
第２のセットトップボックスによって送信されたインタラクション結果情報を受信した後で、第１のセットトップボックスはインタラクション結果情報に従ってインタラクション結果を表示し、第１のセットトップボックスのユーザは、現在のインタラクションの結果を知ることができる。例えば、第２のセットトップボックスのユーザが、推奨された番組を放映することを承認または拒否する場合、インタラクションコンテンツが表示されるのと同様な表示方法が採用される。詳細は、ここにおいて繰り返して説明されない。
【００４３】
望ましくは、第１のセットトップボックスは、さらに、第２のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例において説明された第２のセットトップボックスは、単なる例示であり、このシナリオにおけるインタラクションオブジェクトの数量について特定な限定をなすものではない。
【００４４】
この実施例において、第１のセットトップボックスのユーザは、第１のセットトップボックスを使用してインタラクション情報を第２のセットトップボックスに対して送信し、第２のセットトップボックスは第２セットトップボックスのユーザに対してインタラクションコンテンツを表示する。第２のセットトップボックスのユーザは、インタラクションコンテンツに従ってインタラクション結果情報を選択かつ決定し、インタラクション結果情報をフィードバックするように第２のセットトップボックスに指図する。そして、第２のセットトップボックスによって送信されたインタラクション結果情報を受信した後で、第１のセットトップボックスは、第１のセットトップボックスのユーザに対してインタラクション結果を表示する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００４５】
本発明の第３の実施例は、セットトップボックスのインタラクションの別の方法について詳細な説明を提供する。この実施例における、セットトップボックスのインタラクション方法に係る所定のプロセスに関しては、図４を参照のこと。本方法は、以下のステップを含んでいる。
【００４６】
４０１．第２のセットトップボックスは、第１のセットトップボックスによって送信されたインタラクション情報を受信する。
【００４７】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第２のセットトップボックスに対してインタラクション情報を送信するように第１のセットトップボックスに指図する。
【００４８】
第２のセットトップボックスは、第１のセットトップボックスによって送信されたインタラクション情報を受信する。
【００４９】
４０２．第２のセットトップボックスは、インタラクション情報に従って、インタラクションコンテンツを表示する。
【００５０】
第１のセットトップボックスによって送信されたインタラクション情報を受信した後で、第２のセットトップボックスは、インタラクション情報に従って、インタラクションコンテンツを表示する。
【００５１】
インタラクション情報は、第２のセットトップボックスにとってインタラクション情報を表示するための基礎である。第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【００５２】
４０３．第２のセットトップボックスは、インタラクションコンテンツに従って、インタラクション結果情報を第１のセットトップボックスに対して送信する。
【００５３】
第２のセットトップボックスのユーザがインタラクションコンテンツに従って現在の番組推奨に係るソーシャル活動に対して応答した後で、第２のセットトップボックスは、インタラクションコンテンツに従って第１のセットトップボックスに対してインタラクション結果情報を送信する。つまり、インタラクション結果情報は、インタラクションコンテンツに従って第２のセットトップボックスのユーザによって決定される。
【００５４】
望ましくは、第２のセットトップボックスは、さらに、第１のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例における第１のセットトップボックスは、単なる例示であり、このシナリオにおけるインタラクションオブジェクトの数量について特定な限定をなすものではない。
【００５５】
この実施例において、第１のセットトップボックスによって送信されたインタラクション情報を受信することによって、第２のセットトップボックスはインタラクションコンテンツを表示する。第２のセットトップボックスのユーザは、インタラクションコンテンツに従ってインタラクション結果情報を選択かつ決定し、インタラクション結果情報をフィードバックするように第２のセットトップボックスに指図する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００５６】
本発明の第３の実施例は、第２の実施例において説明されたセットトップボックスのインタラクション方法の補足的な説明を提供する。この実施例におけるセットトップボックスのインタラクション方法の所定のプロセスに関しては、図５を参照のこと。本方法は、以下のステップを含んでいる。
【００５７】
５０１．第２のセットトップボックスは、第１のセットトップボックスによって送信されたインタラクション情報を受信する。
【００５８】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第１のインタラクションインストラクションを第１のセットトップボックスに対して送信する。
【００５９】
第１のインタラクションインストラクションは、対応する番組のインタラクション情報を第２のセットトップボックスに対して送信するように第１のセットトップボックスに指図するために使用されるものである。第２のセットトップボックスは、第１のセットトップボックスによって送信されたインタラクション情報を受信する。
【００６０】
５０２．第２のセットトップボックスは、インタラクション情報に従って、インタラクションコンテンツを表示する。
【００６１】
インタラクション情報は、第２のセットトップボックスにとってインタラクション情報を表示するための基礎である。インタラクションコンテンツを表示しているとき、第２のセットトップボックスは、ユーザに対して、例えば、インターフェイスを点滅させたり、プロンプト音を流したりする。
【００６２】
第２のセットトップボックスは、インタラクション情報に従って、インタラクションコンテンツを表示する。特に、第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【００６３】
インタラクションコンテンツの例に関しては、本発明の第２の実施例における関連するレコード（ｒｅｃｏｒｄ）を参照のこと。
【００６４】
５０３．第２のセットトップボックスは、第２のインタラクションインストラクションを受信する。ここで、第２のインタラクションインストラクションは、インタラクションコンテンツに従って、第１のセットトップボックスに対してインタラクション結果情報を送信するように第２のセットトップボックスに指図するために使用される。
【００６５】
第２のセットトップボックスは、第２のインタラクションインストラクションを受信する。ここで、第２のインタラクションインストラクションは、インタラクションコンテンツに従って、第１のセットトップボックスに対してインタラクション結果情報を送信するように第２のセットトップボックスに指図するために使用される。つまり、インタラクション結果情報は、インタラクションコンテンツに従って第２のセットトップボックスのユーザによって決定される。
【００６６】
第２のセットトップボックスのユーザは、インタラクションコンテンツに従ってインタラクション結果を決定する。例えば、推奨された番組を放映することを承認する、または、拒否することであり、次に、インタラクション結果情報が生成される。本発明の第２の実施例における第１のインタラクションインストラクションのレコードを参照して、第２のセットトップボックスのユーザは、第１のセットトップボックスのユーザによる第１のインタラクションインストラクションを送信するための方法と同様な方法を使用することによって、第２のインタラクションインストラクションを第２のセットトップボックスに対して送信する。
【００６７】
５０４．第２のセットトップボックスは、インタラクションコンテンツに従って第１のセットトップボックスに対してインタラクション結果情報を送信する。
【００６８】
第２のセットトップボックスは、インタラクション結果情報を第１のセットトップボックスに対して送信し、第１のセットトップボックスは、第２のセットトップボックスから送信されたインタラクション結果情報を受信する。第２のセットトップボックスによって送信されたインタラクション結果情報を受信した後で、第１のセットトップボックスはインタラクション結果情報に従ってインタラクション結果を表示する。例えば、第２のセットトップボックスのユーザが、推奨された番組を放映することを承認または拒否する場合、インタラクションコンテンツが表示されるのと同様な表示方法が採用される。詳細は、ここにおいて繰り返して説明されない。
【００６９】
望ましくは、第２のセットトップボックスは、さらに、第１のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例において説明された第１のセットトップボックスは、単なる例示であり、このシナリオにおけるインタラクションオブジェクトの数量について特定な限定をなすものではない。
【００７０】
この実施例において、第１のセットトップボックスのユーザは、第１のセットトップボックスを使用してインタラクション情報を第２のセットトップボックスに対して送信し、第２のセットトップボックスは第２セットトップボックスのユーザに対してインタラクションコンテンツを表示する。第２のセットトップボックスのユーザは、インタラクションコンテンツに従ってインタラクション結果情報を選択かつ決定し、インタラクション結果情報をフィードバックするように第２のセットトップボックスに指図する。そして、第２のセットトップボックスによって送信されたインタラクション結果情報を受信した後で、第１のセットトップボックスは、第１のセットトップボックスのユーザに対してインタラクション結果を表示する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００７１】
本発明の第５の実施例は、セットトップボックスの詳細な説明を提供する。加えて、この装置の実施例は、第１の実施例における方法の実施例に対応している。いくつかの関連する従来技術の詳細は、ここにおいて繰り返して説明されない。この実施例における、セットトップボックスの所定の構成に関しては、図６を参照のこと。本セットトップボックスは、以下のものを含んでいる。
【００７２】
インタラクション情報送信モジュール６０１は、第２のセットトップボックスに対してインタラクション情報を送信するように構成されており、第２のセットトップボックスがインタラクションコンテンツを表示できる。
【００７３】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第２のセットトップボックスに対してインタラクション情報を送信するようにインタラクション情報送信モジュール６０１に指図し、第２のセットトップボックスがインタラクションコンテンツを表示する。
【００７４】
インタラクション情報は、第２のセットトップボックスにとってインタラクション情報を表示するための基礎である。第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【００７５】
インタラクション結果情報受信モジュール６０２は、インタラクションコンテンツに従って、第２のセットトップボックスによって送信されたインタラクション結果情報を受信するように構成されている。
【００７６】
第２のセットトップボックスのユーザがインタラクションコンテンツに従って現在の番組推奨に係るソーシャル活動に対して応答した後で、第２のセットトップボックスは、インタラクションコンテンツに従って第１のセットトップボックスに対してインタラクション結果情報を送信する。つまり、インタラクション結果情報は、インタラクションコンテンツに従って第２のセットトップボックスのユーザによって決定される。
【００７７】
次に、インタラクション結果情報受信モジュール６０２は、第２のセットトップボックスによって送信されたインタラクション結果情報を受信する。
【００７８】
望ましくは、第１のセットトップボックスは、さらに、第２のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例において説明される第２のセットトップボックスは、単なる例示であり、このシナリオにおけるインタラクションオブジェクトの数量について特定な限定をなすものではない。
【００７９】
この実施例において、第１のセットトップボックスのインタラクション結果情報受信モジュール６０２はインタラクション情報を第２のセットトップボックスに対して送信し、第２のセットトップボックスはインタラクションコンテンツを表示する。ユーザは、インタラクションコンテンツに従ってインタラクション結果情報を選択かつ決定し、インタラクション結果情報をフィードバックするように第２のセットトップボックスに指図する。そして、第１のセットトップボックスのインタラクション結果情報受信モジュール６０２は、第２のセットトップボックスによって送信されたインタラクション結果情報を受信し、それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００８０】
本発明の第６の実施例は、第５の実施例におけるセットトップボックスの補足的な説明を提供する。加えて、この装置の実施例は、第２の実施例における方法の実施例に対応するものである。いくつかの関連する従来技術の詳細は、ここにおいて繰り返して説明されない。この実施例におけるセットトップボックスの所定の構成に関しては、図７を参照のこと。本セットトップボックスは、以下を含んでいる。第１のインタラクションインストラクション受信モジュール７０１、インタラクション情報送信モジュール７０２、インタラクション結果情報受信モジュール７０３、および、インタラクション結果表示モジュール７０４、である。
【００８１】
第１のインタラクションインストラクション受信モジュール７０１は、第１のインタラクションインストラクションを受信するように構成されている。ここで、第１のインタラクションインストラクションは、対応する番組のインタラクション情報を第２のセットトップボックスに対して送信するように第１のセットトップボックスに指図するために使用される。
【００８２】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第１のインタラクションインストラクションを第１のセットトップボックスに対して送信する。
【００８３】
第１のインタラクションインストラクションは、対応する番組のインタラクション情報を第２のセットトップボックスに対して送信するように第１のセットトップボックスに指図するために使用されるものである。
【００８４】
次に、第１のインタラクションインストラクション受信モジュール７０１は、第１のインタラクションインストラクションを受信する。
【００８５】
インタラクション情報送信モジュール７０２は、第２のセットトップボックスに対してインタラクション情報を送信するように構成されており、第２のセットトップボックスがインタラクションコンテンツを表示する。
【００８６】
第１のインタラクションインストラクション受信モジュール７０１が第１のインタラクションインストラクションを受信した後で、インタラクション情報送信モジュール７０２は、第１のインタラクションインストラクションのインストラクションに従って、第２のセットトップボックスに対してインタラクションインストラクションを送信し、第２のセットトップボックスは、インタラクションコンテンツを表示する。インタラクションコンテンツを表示しているとき、第２のセットトップボックスは、ユーザに対してプロンプト情報を送信する。例えば、インターフェイスを点滅させたり、プロンプト音を流したりする。
【００８７】
インタラクション結果情報受信モジュール７０３は、インタラクションコンテンツに従って第２のセットトップボックスによって送信されたインタラクション結果情報を受信するように構成されている。
【００８８】
第２のセットトップボックスのユーザは、インタラクションコンテンツに従ってインタラクション結果情報を決定する。例えば、推奨された番組を放映することを承認する、または、拒否することであり、次に、インタラクション結果情報が生成される。第１のセットトップボックスのユーザによる第１のインタラクションインストラクションを送信するための方法と同様な方法を使用することによって、第２のセットトップボックスのユーザは、第２のインタラクションインストラクションを第２のセットトップボックスに対して送信する。ここで、第２のインタラクションインストラクションは、第１のセットトップボックスに対してインタラクション結果情報を送信するように第２のセットトップボックスに指図するために使用される。
【００８９】
その後、第２のセットトップボックスは、インタラクション結果情報を第１のセットトップボックスに対して送信し、インタラクション結果情報受信モジュール７０３は、第２のセットトップボックスによって送信されたインタラクション結果情報を受信する。
【００９０】
インタラクション結果表示モジュール７０４は、インタラクション結果情報に従ってインタラクション結果を表示するように構成されている
【００９１】
インタラクション結果情報受信モジュール７０３が第２のセットトップボックスによって送信されたインタラクション結果情報を受信した後で、インタラクション結果表示モジュール７０４はインタラクション結果を表示し、第１のセットトップボックスのユーザは、現在のインタラクションの結果を知ることができる。例えば、第２のセットトップボックスのユーザが、推奨された番組を放映することを承認または拒否する場合、インタラクションコンテンツが表示されるのと同様な表示方法が採用される。詳細は、ここにおいて繰り返して説明されない。
【００９２】
望ましくは、第１のセットトップボックスは、さらに、第２のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例において説明された第２のセットトップボックスは、単なる例示であり、このシナリオにおけるインタラクションオブジェクトの数量について特定な限定をなすものではない。
【００９３】
この実施例において、第１のセットトップボックスのユーザは、インタラクション情報送信モジュール７０２を使用してインタラクション情報を第２のセットトップボックスに対して送信し、第２のセットトップボックスは第２セットトップボックスのユーザに対してインタラクションコンテンツを表示する。第２のセットトップボックスのユーザは、インタラクションコンテンツに従ってインタラクション結果情報を選択かつ決定し、インタラクション結果情報をフィードバックするように第２のセットトップボックスに指図する。そして、インタラクション結果情報受信モジュール７０３が第２のセットトップボックスによって送信されたインタラクション結果情報を受信した後で、インタラクション結果表示モジュール７０４は、第１のセットトップボックスのユーザに対してインタラクション結果を表示する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【００９４】
本発明の第７の実施例は、別のセットトップボックスに係る詳細な説明を提供する。加えて、この装置の実施例は、第３の実施例における方法の実施例に対応するものである。いくつかの関連する従来技術の詳細は、ここにおいて繰り返して説明されない。
【００９５】
この実施例におけるセットトップボックスの所定の構成に関しては、図８を参照のこと。本セットトップボックスは、以下を含んでいる。インタラクション情報受信モジュール８０１、インタラクションコンテンツ表示モジュール８０２、および、インタラクション結果情報送信モジュール８０３、である。
【００９６】
インタラクション情報受信モジュール８０１は、第１のセットトップボックスによって送信されたインタラクション情報を受信するように構成されている。
【００９７】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第２のセットトップボックスに対してインタラクション情報を送信するように第１のセットトップボックスに指図する。
【００９８】
インタラクション情報受信モジュール８０１は、第１のセットトップボックスによって送信されたインタラクション情報を受信する。
【００９９】
インタラクションコンテンツ表示モジュール８０２は、インタラクション情報に従って、インタラクションコンテンツを表示するように構成されている。
【０１００】
インタラクション情報受信モジュール８０１が第１のセットトップボックスによって送信されたインタラクション情報を受信した後で、インタラクションコンテンツ表示モジュール８０２は、インタラクション情報に従って、インタラクションコンテンツを表示する。
【０１０１】
インタラクション情報は、第２のセットトップボックスにとってインタラクション情報を表示するための基礎である。第１のセットトップボックスによって送信されたインタラクション情報を受信した後で、第２のセットトップボックスは、オペレーションの解析を実行し、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【０１０２】
インタラクション結果情報送信モジュール８０３は、インタラクションコンテンツに従って、インタラクション結果情報を第１のセットトップボックスに対して送信するように構成されている。
【０１０３】
第２のセットトップボックスのユーザがインタラクションコンテンツに従って現在の番組推奨に係るソーシャル活動に対して応答した後で、インタラクション結果情報送信モジュール８０３は、インタラクションコンテンツに従って第１のセットトップボックスに対してインタラクション結果情報を送信する。つまり、インタラクション結果情報は、インタラクションコンテンツに従って第２のセットトップボックスのユーザによって決定される。
【０１０４】
望ましくは、第２のセットトップボックスは、さらに、第１のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例における第１のセットトップボックスは、単なる例示であり、このシナリオにおけるインタラクションオブジェクトの数量について特定な限定をなすものではない。
【０１０５】
この実施例において、インタラクション情報受信モジュール８０１は第１のセットトップボックスによって送信されたインタラクション情報を受信し、インタラクションコンテンツ表示モジュール８０２がインタラクションコンテンツを表示する。第２のセットトップボックスのユーザは、インタラクションコンテンツに従ってインタラクション結果情報を選択かつ決定し、インタラクション結果情報をフィードバックするようにインタラクション結果情報送信モジュール８０３に指図する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【０１０６】
本発明の第８の実施例は、第７の実施例におけるセットトップボックスの補足的な説明を提供する。加えて、この装置の実施例は、第４の実施例における方法の実施例に対応するものである。いくつかの関連する従来技術の詳細は、ここにおいて繰り返して説明されない。この実施例における、セットトップボックスの所定の構成に関しては、図９を参照のこと。本セットトップボックスは、以下のものを含んでいる。インタラクション情報受信モジュール９０１、インタラクションコンテンツ表示モジュール９０２、第２のインタラクションインストラクション受信モジュール９０３、および、インタラクション結果情報送信モジュール９０４、である。
【０１０７】
インタラクション情報受信モジュール９０１は、第１のセットトップボックスによって送信されたインタラクション情報を受信するように構成されている。
【０１０８】
この実施例では、アプリケーションのシナリオにおいて、離れたセットトップボックスのユーザが平等な社会的地位をもってソーシャルネットワーク活動を行う。第１のセットトップボックスのユーザが、テレビ番組を視聴している過程において、楽しませるために現在視聴しているテレビ番組を離れた友人に対して勧めたいと思う場合に、第１のセットトップボックスのユーザは、第１のインタラクションインストラクションを第１のセットトップボックスに対して送信する。
【０１０９】
第１のインタラクションインストラクションは、対応する番組のインタラクション情報を第２のセットトップボックスに対して送信するように第１のセットトップボックスに指図するために使用されるものである。インタラクション情報受信モジュール９０１は、第１のセットトップボックスによって送信されたインタラクション情報を受信する。
【０１１０】
インタラクションコンテンツ表示モジュール９０２は、インタラクション情報に従って、インタラクションコンテンツを表示するように構成されている。
【０１１１】
インタラクション情報は、第２のセットトップボックスにとってインタラクション情報を表示するための基礎である。インタラクションコンテンツを表示しているとき、インタラクションコンテンツ表示モジュール９０２は、ユーザに対して、例えば、インターフェイスを点滅させたり、プロンプト音を流したりする。
【０１１２】
インタラクションコンテンツ表示モジュール９０２は、インタラクション情報に従って、インタラクションコンテンツを表示する。特に、インタラクション情報受信モジュール９０１が第１のセットトップボックスによって送信されたインタラクション情報を受信した後で、デコーダがオペレーションの解析を実行し、次に、インタラクションコンテンツ表示モジュール９０２は、テレビジョンセットを使用して、解析を通じて取得したインタラクションコンテンツを現在のユーザに対して表示する。そして、現在のユーザは、インタラクションコンテンツに従って、現在の番組推奨に係るソーシャル活動に対して応答することができる。
【０１１３】
インタラクションコンテンツの例に関しては、本発明の第２の実施例における関連するレコードを参照のこと。
【０１１４】
第２のインタラクションインストラクション受信モジュール９０３は、第２のインタラクションインストラクションを受信するように構成されている。ここで、第２のインタラクションインストラクションは、インタラクションコンテンツに従って、第１のセットトップボックスに対してインタラクション結果情報を送信するように第２のセットトップボックスに指図するために使用される。
【０１１５】
第２のセットトップボックスは、第２のインタラクションインストラクションを受信する。ここで、第２のインタラクションインストラクションは、インタラクションコンテンツに従って、第１のセットトップボックスに対してインタラクション結果情報を送信するように第２のセットトップボックスに指図するために使用される。つまり、インタラクション結果情報は、インタラクションコンテンツに従って第２のセットトップボックスのユーザによって決定される。
【０１１６】
第２のセットトップボックスのユーザは、インタラクションコンテンツに従ってインタラクション結果を決定する。例えば、推奨された番組を放映することを承認する、または、拒否することであり、次に、インタラクション結果情報が生成される。本発明の第２の実施例における第１のインタラクションインストラクションのレコードを参照して、第２のセットトップボックスのユーザは、第１のセットトップボックスのユーザによる第１のインタラクションインストラクションを送信するための方法と同様な方法を使用することによって、第２のインタラクションインストラクションを第２のセットトップボックスに対して送信する。
【０１１７】
インタラクション結果情報送信モジュール９０４は、インタラクションコンテンツに従って第１のセットトップボックスに対してインタラクション結果情報を送信するように構成されている。
【０１１８】
インタラクション結果情報送信モジュール９０４は、インタラクション結果情報を第１のセットトップボックスに対して送信し、第１のセットトップボックスは、第２のセットトップボックスから送信されたインタラクション結果情報を受信する。第２のセットトップボックスによって送信されたインタラクション結果情報を受信した後で、第１のセットトップボックスはインタラクション結果情報に従ってインタラクション結果を表示する。例えば、第２のセットトップボックスのユーザが、推奨された番組を放映することを承認または拒否する場合、インタラクションコンテンツが表示されるのと同様な表示方法が採用される。詳細は、ここにおいて繰り返して説明されない。
【０１１９】
望ましくは、第２のセットトップボックスは、さらに、第１のセットトップボックスに加えて、同時に複数のセットトップボックスを用いて前出のソーシャル活動を行うことができる。つまり、複数のユーザの中で平等な社会的地位をもってソーシャルネットワーク活動が実施される。この実施例において説明された第１のセットトップボックスは、単なる例示であり、このシナリオにおけるインタラクションオブジェクトの数量について特定な限定をなすものではない。
【０１２０】
この実施例において、第１のセットトップボックスのユーザは、第１のセットトップボックスを使用してインタラクション情報を第２のセットトップボックスに対して送信し、インタラクションコンテンツ表示モジュール９０２は、第２セットトップボックスのユーザに対してインタラクションコンテンツを表示する。第２のセットトップボックスのユーザは、インタラクションコンテンツに従ってインタラクション結果情報を選択かつ決定し、インタラクション結果情報をフィードバックするようにインタラクション結果情報送信モジュール９０４に指図する。そして、第２のセットトップボックスによって送信されたインタラクション結果情報を受信した後で、第１のセットトップボックスは、第１のセットトップボックスのユーザに対してインタラクション結果を表示する。それにより、離れたセットトップボックスユーザが平等な社会的地位をもってソーシャルネットワーク活動を行うことを実施している。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【０１２１】
本発明の第９の実施例は、セットトップボックスインタラクションシステムの詳細な説明を提供する。加えて、このシステムにおけるいくつかの関連する従来技術の詳細は、ここにおいて繰り返して説明されない。この実施例における、セットトップボックスインタラクションシステムの所定の構成は、以下のものを含んでいる。
第１のセットトップボックスおよび第２のセットトップボックスであり、ここで、これら２つは、通信可能な方法で相互に接続されている。第１のセットトップボックスは、本発明の第５の実施例において説明されたセットトップボックスであり、第２のセットトップボックスは、本発明の第７の実施例において説明されたセットトップボックスである。前出のレコードに従って、第１のセットトップボックスは、インタラクション情報送信モジュールとインタラクション結果情報受信モジュールを含んでいる。そして、第２のセットトップボックスは、インタラクション情報受信モジュール、インタラクションコンテンツ表示モジュール、および、インタラクション結果情報送信モジュールを含んでいる。
【０１２２】
この実施例では、アプリケーションのシナリオにおいて、離れたセットトップボックスのユーザが平等な社会的地位をもってソーシャルネットワーク活動を行う。テレビ番組を視聴している過程における場合、楽しませるために現在視聴しているテレビ番組を離れた友人に対して勧めることが期待される、図１０を参照のこと。以下に、本システムにおけるワーキングプロセスを説明する。
【０１２３】
１００１.第１のセットトップボックスに係るインタラクション情報送信モジュールは、第２のセットトップボックスに係るインタラクション情報受信モジュールに対してインタラクション情報を送信する。
【０１２４】
第１のセットトップボックスのユーザは、第２のセットトップボックスに係るインタラクション情報受信モジュールに対してインタラクション情報を送信するように第１のセットトップボックスに係るインタラクション情報送信モジュールに指図し、第２のセットトップボックスがインタラクションコンテンツを表示する。
【０１２５】
１００２．第２のセットトップボックスに係るインタラクションコンテンツ表示モジュールは、インタラクションコンテンツを表示する。
【０１２６】
第２のセットトップボックスに係るインタラクションコンテンツ表示モジュールは、インタラクション情報に従ってインタラクションコンテンツを表示する。
【０１２７】
１００３．第２のセットトップボックスに係るインタラクション結果情報送信モジュールは、第１のセットトップボックスに係るインタラクション結果情報受信モジュールに対してインタラクション結果情報を送信する。
【０１２８】
第２のセットトップボックスのユーザがインタラクションコンテンツに従ってプログラムの推奨に係るソーシャル活動に対して応答した後で、第２のセットトップボックスに係るインタラクション結果情報送信モジュールは、第１のセットトップボックスに係るインタラクション結果情報受信モジュールに対してインタラクション結果情報を送信する。
【０１２９】
この実施例では、このシステムにおいて、離れたセットトップボックスユーザの中のソーシャルネットワーク活動が平等な社会的地位をもって実施されている。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【０１３０】
本発明の第１０の実施例は、第９の実施例におけるセットトップボックスインタラクションシステムの補足的な説明を提供する。加えて、このシステムにおけるいくつかの関連する従来技術の詳細は、ここにおいて繰り返して説明されない。この実施例における、セットトップボックスインタラクションシステムの所定の構成は、以下のものを含んでいる。
第１のセットトップボックスおよび第２のセットトップボックスであり、ここで、これら２つは、通信可能な方法で相互に接続されている。第１のセットトップボックスは、本発明の第６の実施例において説明されたセットトップボックスであり、第２のセットトップボックスは、本発明の第８の実施例において説明されたセットトップボックスである。前出のレコードに従って、第１のセットトップボックスは、第１のインタラクションインストラクション受信モジュール、インタラクション情報送信モジュール、インタラクション結果情報受信モジュール、および、インタラクション結果表示モジュールを含んでいる。そして、第２のセットトップボックスは、インタラクション情報受信モジュール、インタラクションコンテンツ表示モジュール、第２のインタラクションインストラクション受信モジュール、および、インタラクション結果情報送信モジュールを含んでいる。
【０１３１】
この実施例では、アプリケーションのシナリオにおいて、離れたセットトップボックスのユーザが平等な社会的地位をもってソーシャルネットワーク活動を行う。テレビ番組を視聴している過程における場合、楽しませるために現在視聴しているテレビ番組を離れた友人に対して勧めることが期待される、図１１を参照のこと。以下に、本システムにおけるワーキングプロセスを説明する。
【０１３２】
１１０１．第１のセットトップボックスに係る第１のインタラクションインストラクション受信モジュールは、第１のインタラクションインストラクションを受信する。
【０１３３】
第１のセットトップボックスのユーザが第１のセットトップボックスに対して第１のインタラクションインストラクションを送信した後で、第１のセットトップボックスに係る第１のインタラクションインストラクション受信モジュールは第１のインタラクションインストラクションを受信する。
【０１３４】
１１０２．第１のセットトップボックスに係るインタラクション情報送信モジュールは、第２のセットトップボックスに係るインタラクション情報受信モジュールに対してインタラクション情報を送信する。
【０１３５】
第１のセットトップボックスに係るインタラクション情報送信モジュールが、第２のセットトップボックスに係るインタラクション情報受信モジュールに対してインタラクション情報を送信し、第２のセットトップボックスはインタラクションコンテンツを表示する。
【０１３６】
１１０３．第２のセットトップボックスに係るインタラクションコンテンツ表示モジュールは、インタラクションコンテンツを表示する。
【０１３７】
第２のセットトップボックスに係るインタラクションコンテンツ表示モジュールは、インタラクション情報に従ってインタラクションコンテンツを表示する。
【０１３８】
１１０４．第２のセットトップボックスに係る第２のインタラクションインストラクション受信モジュールは、第２のインタラクションインストラクションを受信する。
【０１３９】
第２のセットトップボックスのユーザがインタラクションコンテンツに従ってプログラムの推奨に係るソーシャル活動に対して応答した後で、第２のセットトップボックスのユーザは、第２のセットトップボックスに対して第２のインタラクションインストラクションを送信する。そして、第２のセットトップボックスに係る第２のインタラクションインストラクション受信モジュールは、第２のインタラクションインストラクションを受信する。
【０１４０】
１１０５．第２のセットトップボックスに係るインタラクション結果情報送信モジュールは、第１のセットトップボックスに係るインタラクション結果情報受信モジュールに対してインタラクション結果情報を送信する。
【０１４１】
第２のセットトップボックスに係る第２のインタラクションインストラクション受信モジュールが第２のインタラクションインストラクションを受信した後で、第２のセットトップボックスに係るインタラクション結果情報送信モジュールは、第１のセットトップボックスに係るインタラクション結果情報受信モジュールに対してインタラクション結果情報を送信する。
【０１４２】
１１０６．第１のセットトップボックスに係るインタラクション結果表示モジュールは、インタラクション結果情報に従ってインタラクション結果を表示する。
【０１４３】
第１のセットトップボックスに係るインタラクション結果情報受信モジュールが、第２のセットトップボックスに係るインタラクション結果情報送信モジュールによって送信されたインタラクション結果情報を受信した後で、第１セットトップボックスに係るインタラクション結果表示モジュールは、インタラクション結果情報に従ってインタラクション結果を表示する。
【０１４４】
この実施例では、このシステムにおいて、離れたセットトップボックスユーザの中のソーシャルネットワーク活動が平等な社会的地位をもって実施されている。本発明における方法は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【０１４５】
当業者であれば、実施例における方法に係る全て又は一部のステップは、関連するハードウェアに指図するプログラムによって実施され得ることが理解されよう。プログラムは、コンピュータで読取り可能な記録媒体に保管されてよい。記録媒体は、読出し専用メモリ、磁気ディスク、または、光ディスク、を含んでよい。
【０１４６】
本発明において提供されるセットトップボックスのインタラクション方法および関連するセットトップボックスとシステムが、上記に詳細に説明された。当業者であれば、本発明の実施例に係る思想に従って、所定の実施方法及び適用範囲を変更することができる。結論として、本明細書の内容は、本発明の範囲を限定するものとして理解されるべきではない。
【図１】
2015513844.tif 000003
【図２】
2015513844.tif 000004
【図３】
2015513844.tif 000005
【図４】
2015513844.tif 000006
【図５】
2015513844.tif 000007
【図６】
2015513844.tif 000008
【図７】
2015513844.tif 000009
【図８】
2015513844.tif 000010
【図９】
2015513844.tif 000011
【図１０】
2015513844.tif 000012
【図１１】
2015513844.tif 000013
【手続補正書】
【提出日】平成26年10月1日(2014.10.1)
【手続補正１】
【補正対象書類名】特許請求の範囲
【補正対象項目名】全文
【補正方法】変更
【補正の内容】
【特許請求の範囲】
【請求項１】
セットトップボックスのインタラクション方法であって：
第２のセットトップボックスに対してインタラクション情報を第１のセットトップボックスによって送信するステップであり、前記第２のセットトップボックスがインタラクションコンテンツを表示するステップと、
前記第２のセットトップボックスによって送信されたインタラクション結果情報を、前記インタラクションコンテンツに従って、第１のセットトップボックスによって受信するステップと、
を含む、方法。
【請求項２】
前記インタラクションコンテンツは、インタラクションダイアログボックス及び/又はピクチャーインピクチャプレビューボックスの中に表示される、
請求項１に記載の方法。
【請求項３】
第２のセットトップボックスに対してインタラクション情報を第１のセットトップボックスによって送信する前に、
本方法は、さらに、
第１のインタラクションインストラクションを前記第１のセットトップボックスによって受信するステップと、を含み、
前記第１のインタラクションインストラクションは、対応する番組のインタラクション情報を前記第２のセットトップボックスに対して送信するように前記第１のセットトップボックスに指図するために使用される、
請求項１または２に記載の方法。
【請求項４】
前記第２のセットトップボックスによって送信されたインタラクション結果情報を前記第１のセットトップボックスによって受信した後で、
本方法は、さらに、
前記インタラクション結果情報に従って、前記第１のセットトップボックスによってインタラクション結果を表示するステップと、を含む、
請求項１または２に記載の方法。
【請求項５】
セットトップボックスのインタラクション方法であって：
第１のセットトップボックスによって送信されたインタラクション情報を、第２のセットトップボックスによって受信するステップと、
前記インタラクション情報に従って、前記第２のセットトップボックスによってインタラクションコンテンツを表示するステップと、
前記インタラクションコンテンツに従って、前記第１のセットトップボックスに対してインタラクション結果情報を第２のセットトップボックスによって送信するステップと、
を含む、方法。
【請求項６】
前記インタラクション情報に従って、インタラクションコンテンツを前記第２のセットトップボックスによって表示した後で、
本方法は、さらに、
第２のインタラクションインストラクションを前記第２のセットトップボックスによって受信するステップと、を含み、
前記第２のインタラクションインストラクションは、前記インタラクションコンテンツに従って、前記インタラクション結果情報を前記第１のセットトップボックスに対して送信するように前記第２のセットトップボックスに指図するために使用される、
請求項５に記載の方法。
【請求項７】
第２のセットトップボックスに対してインタラクション情報を送信するように構成されているインタラクション情報送信モジュールであり、前記第２のセットトップボックスはインタラクションコンテンツを表示する、インタラクション情報送信モジュールと、
前記インタラクションコンテンツに従って、前記第２のセットトップボックスによって送信されたインタラクション結果情報を受信するように構成されているインタラクション結果情報受信モジュールと、
を含む、セットトップボックス。
【請求項８】
前記セットトップボックスは、さらに、
第１のインタラクションインストラクションを受信するように構成されている第１のインタラクションインストラクション受信モジュールと、を含み、
前記第１のインタラクションインストラクションは、対応する番組のインタラクション情報を前記第２のセットトップボックスに対して送信するように第１のセットトップボックスに指図するために使用される、
請求項７に記載のセットトップボックス。
【請求項９】
前記セットトップボックスは、さらに、
前記インタラクション結果情報に従って、インタラクション結果を表示するように構成されているインタラクション結果表示モジュールと、を含む、
請求項７または８に記載のセットトップボックス。
【請求項１０】
第１のセットトップボックスによって送信されたインタラクション情報を受信するように構成されているインタラクション情報受信モジュールと、
前記インタラクション情報に従って、インタラクションコンテンツを表示するように構成されているインタラクションコンテンツ表示モジュールと、
前記インタラクションコンテンツに従って、前記第１のセットトップボックスに対してインタラクション結果情報を送信するように構成されているインタラクション結果情報送信モジュールと、
を含む、セットトップボックス。
【請求項１１】
前記セットトップボックスは、さらに、
第２のインタラクションインストラクションを受信するように構成されている第２のインタラクションインストラクション受信モジュールと、を含み、
前記第２のインタラクションインストラクションは、前記インタラクションコンテンツに従って、前記インタラクション結果情報を前記第１のセットトップボックスに対して送信するように第２のセットトップボックスに指図するために使用される、
請求項１０に記載のセットトップボックス。
【請求項１２】
請求項７乃至９いずれか一項に記載の前記セットトップボックス、および、請求項１０または１１に記載の前記セットトップボックス、を含み、
これら２つのセットトップボックスは、通信可能な方法で相互に接続されている、
セットトップボックスインタラクションシステム。
【手続補正２】
【補正対象書類名】明細書
【補正対象項目名】００５６
【補正方法】変更
【補正の内容】
【００５６】
本発明の第４の実施例は、第３の実施例において説明されたセットトップボックスのインタラクション方法の補足的な説明を提供する。この実施例におけるセットトップボックスのインタラクション方法の所定のプロセスに関しては、図５を参照のこと。本方法は、以下のステップを含んでいる。
【手続補正３】
【補正対象書類名】明細書
【補正対象項目名】００７９
【補正方法】変更
【補正の内容】
【００７９】
この実施例において、第１のセットトップボックスのインタラクション結果情報受信モジュール６０２はインタラクション情報を第２のセットトップボックスに対して送信し、第２のセットトップボックスはインタラクションコンテンツを表示する。ユーザは、インタラクションコンテンツに従ってインタラクション結果情報を選択かつ決定し、インタラクション結果情報をフィードバックするように第２のセットトップボックスに指図する。そして、第１のセットトップボックスのインタラクション結果情報受信モジュール６０２は、第２のセットトップボックスによって送信されたインタラクション結果情報を受信し、それにより、離れたセットトップボックスユーザが平等な社会的地位をもってソーシャルネットワーク活動を行うことを実施している。本発明における装置は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【手続補正４】
【補正対象書類名】明細書
【補正対象項目名】００９３
【補正方法】変更
【補正の内容】
【００９３】
この実施例において、第１のセットトップボックスのユーザは、インタラクション情報送信モジュール７０２を使用してインタラクション情報を第２のセットトップボックスに対して送信し、第２のセットトップボックスは第２セットトップボックスのユーザに対してインタラクションコンテンツを表示する。第２のセットトップボックスのユーザは、インタラクションコンテンツに従ってインタラクション結果情報を選択かつ決定し、インタラクション結果情報をフィードバックするように第２のセットトップボックスに指図する。そして、インタラクション結果情報受信モジュール７０３が第２のセットトップボックスによって送信されたインタラクション結果情報を受信した後で、インタラクション結果表示モジュール７０４は、第１のセットトップボックスのユーザに対してインタラクション結果を表示する。それにより、離れたセットトップボックスユーザが平等な社会的地位をもってソーシャルネットワーク活動を行うことを実施している。本発明における装置は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【手続補正５】
【補正対象書類名】明細書
【補正対象項目名】０１０５
【補正方法】変更
【補正の内容】
【０１０５】
この実施例において、インタラクション情報受信モジュール８０１は第１のセットトップボックスによって送信されたインタラクション情報を受信し、インタラクションコンテンツ表示モジュール８０２がインタラクションコンテンツを表示する。第２のセットトップボックスのユーザは、インタラクションコンテンツに従ってインタラクション結果情報を選択かつ決定し、インタラクション結果情報をフィードバックするようにインタラクション結果情報送信モジュール８０３に指図する。それにより、離れたセットトップボックスユーザが平等な社会的地位をもってソーシャルネットワーク活動を行うことを実施している。本発明における装置は、インタラクションプロセスにおいてユーザ間の平等な社会的地位を保証し、それにより、ユーザのセットトップボックスべースの社会的なインタラクションの経験を改善して、ユーザの社会的ニーズを満足させている。
【手続補正６】
【補正対象書類名】明細書
【補正対象項目名】０１２９
【補正方法】変更
【補正の内容】
【０１２９】
この実施例では、このシステムにおいて、離れたセットトップボックスユーザの中のソーシャルネットワーク活動が平等な社会的地位をもって実施されている。本発明におけるシステムは、インタラクションプロセスにおいてユーザ間の平等な社会的地位を保証し、それにより、ユーザのセットトップボックスべースの社会的なインタラクションの経験を改善して、ユーザの社会的ニーズを満足させている。
【手続補正７】
【補正対象書類名】図面
【補正対象項目名】図３
【補正方法】変更
【補正の内容】
【図３】
2015513844.tif 000014
【手続補正８】
【補正対象書類名】図面
【補正対象項目名】図１０
【補正方法】変更
【補正の内容】
【図１０】
2015513844.tif 000015
【国際調査報告】
2015513844.tif 000016
2015513844.tif 000017
2015513844.tif 000018
2015513844.tif 000019
2015513844.tif 000020
2015513844.tif 000021